(57)【要約】  オーディオ信号またはビデオ信号であるＡＶ信号を複数混合したり切り替えたりといった編集処理を行う場合の編集操作を容易且つ直感的に行うことを課題とする。本発明のＡＶ処理装置３０は、入力された複数のビデオ信号に対応して、各ビデオ信号の出力を指定するための複数のビデオ信号指定領域ＶをタッチパネルＴＰ上に表示し、当該タッチパネルＴＰのタッチ位置に基づいてビデオ信号の混合処理を行うと共に、タッチ位置の移動に基づいてビデオ信号の切り替え処理を行うものである。
2008111115.tif 000002
【特許請求の範囲】
【請求項１】
オーディオ信号またはビデオ信号であるＡＶ信号を複数入力する入力手段と、
表示機能付きタッチパネルを有し、当該表示機能付きタッチパネルを用いて前記複数のＡＶ信号の編集操作を行う操作手段と、
前記表示機能付きタッチパネルの表示制御を行う表示制御手段と、
前記操作手段による編集操作に基づいて、前記複数のＡＶ信号に対し、混合処理および切り替え処理を含む編集処理を行い、出力対象となる出力ＡＶ信号を生成する出力ＡＶ信号生成手段と、
前記出力ＡＶ信号生成手段により生成された前記出力ＡＶ信号を出力する出力手段と、を備え、
前記表示制御手段は、前記入力手段により入力された前記複数のＡＶ信号に対応して、前記各ＡＶ信号の出力を指定するための複数のＡＶ信号指定領域を前記表示機能付きタッチパネル上に表示し、
前記出力ＡＶ信号生成手段は、前記表示機能付きタッチパネルのタッチ位置に基づいて前記複数のＡＶ信号の混合処理を行うと共に、前記タッチ位置の移動に基づいて前記複数のＡＶ信号の切り替え処理を行うことを特徴とするＡＶ処理装置。
【請求項２】
前記表示制御手段は、前記入力手段により入力された前記ＡＶ信号の数に応じて、前記複数のＡＶ信号指定領域の配置を決定することを特徴とする請求項１に記載のＡＶ処理装置。
【請求項３】
前記表示制御手段は、前記ＡＶ信号がビデオ信号である場合、当該ビデオ信号の映像を、対応する前記ＡＶ信号指定領域に表示することを特徴とする請求項１に記載のＡＶ処理装置。
【請求項４】
前記各ＡＶ信号指定領域には、前記混合処理における混合率および前記切り替え処理における切り替え率を決定するための基準となる基準点が設けられており、
前記出力ＡＶ信号生成手段は、前記タッチ位置または当該タッチ位置の移動に対し、当該タッチ位置と前記各ＡＶ信号指定領域に設けられた前記各基準点との距離に応じて当該各ＡＶ信号指定領域に対応する前記各ＡＶ信号の混合率または切り替え率を決定することを特徴とする請求項１に記載のＡＶ処理装置。
【請求項５】
前記出力ＡＶ信号生成手段は、前記ＡＶ信号指定領域の内部における前記タッチ位置または当該タッチ位置の移動に対しては、当該ＡＶ信号指定領域に対応するＡＶ信号の出力を１００％とし、前記ＡＶ信号指定領域の外部における前記タッチ位置または当該タッチ位置の移動に対しては、当該タッチ位置から前記各ＡＶ信号指定領域までの最短距離に応じて当該各ＡＶ信号指定領域に対応する各ＡＶ信号の混合率または切り替え率を決定することを特徴とする請求項１に記載のＡＶ処理装置。
【請求項６】
前記各ＡＶ信号指定領域には、前記混合処理における混合率および前記切り替え処理における切り替え率を決定するための基準となる基準点が設けられており、前記タッチ位置または当該タッチ位置の移動に対し、当該タッチ位置と前記各ＡＶ信号指定領域に設けられた前記各基準点との距離に応じて、当該各ＡＶ信号指定領域に対応する前記各ＡＶ信号の混合率または切り替え率を決定する第１操作モードと、
前記ＡＶ信号指定領域の内部における前記タッチ位置または当該タッチ位置の移動に対しては、当該ＡＶ信号指定領域に対応するＡＶ信号の出力を１００％とし、前記ＡＶ信号指定領域の外部における前記タッチ位置または当該タッチ位置の移動に対しては、当該タッチ位置から前記各ＡＶ信号指定領域までの最短距離に応じて当該各ＡＶ信号指定領域に対応する各ＡＶ信号の混合率または切り替え率を決定する第２操作モードと、のいずれかの操作モードを設定する操作モード設定手段をさらに備え、
前記出力ＡＶ信号生成手段は、前記操作モード設定手段による設定に基づいて、前記混合処理または前記切り替え処理を行うことを特徴とする請求項１に記載のＡＶ処理装置。
【請求項７】
前記表示機能付きタッチパネル上における前記各ＡＶ信号指定領域の配置変更を指示する配置変更指示手段をさらに備え、
前記表示制御手段は、前記配置変更指示手段による指示に基づいて、前記出力ＡＶ信号に含まれる１つ以上のＡＶ信号に対応する１つ以上の前記ＡＶ信号指定領域を、他のＡＶ信号指定領域に対して略中央に配置変更することを特徴とする請求項１に記載のＡＶ処理装置。
【請求項８】
前記編集処理は、前記出力ＡＶ信号に対して、エフェクト効果を付与するエフェクト処理を含み、
前記表示制御手段は、前記エフェクト効果毎に設けられたエフェクト指定領域を前記表示機能付きタッチパネル上に１つ以上表示し、
前記出力ＡＶ信号生成手段は、前記表示機能付きタッチパネルの前記タッチ位置または当該タッチ位置の移動に基づいて、前記出力ＡＶ信号に対し前記エフェクト処理を行うことを特徴とする請求項１に記載のＡＶ処理装置。
【請求項９】
コンピュータを、請求項１に記載のＡＶ処理装置における各手段として機能させるためのプログラム。
【発明の詳細な説明】
【技術分野】
【０００１】
本発明は、オーディオ信号またはビデオ信号であるＡＶ信号に対し編集処理を行うＡＶ処理装置およびプログラムに関するものである。
【背景技術】
【０００２】
従来、Ａ端とＢ端を両端とする移動範囲を移動部材（つまみ，把持部）が移動することにより、２種類のオーディオ信号を同時に調整するオーディオ信号処理装置が知られている（例えば、特許文献１）。この種のオーディオ信号処理装置は、一般に「クロスフェーダ」と称され、Ａ端からＢ端への移動部材の移動に伴って第１のオーディオ信号の音量が大きくなり、逆にＢ端からＡ端への移動部材の移動に伴って第２のオーディオ信号の音量が大きくなるように構成されている。つまり、移動部材の位置に応じて、２種類のオーディオ信号の混合割合を決定できるようになっている。この種のオーディオ信号調整装置は、クラブ等において用いられるＤＪ機器（ディスクジョッキー（ＤＪ）が音響パフォーマンスに用いる機器）に適用されることが多く、多彩な音楽表現が望まれている。【０００３】
一方、近年は、上記のオーディオ信号処理装置をビデオ信号に応用し、２種類のビデオ信号の混合割合を決定できるものも知られている。この種のビデオ信号処理装置も、クラブ等において、会場のモニターに変化の多い映像を映し出すために用いられるＶＪ機器（ビジュアルジョッキーまたはビデオジョッキー（ＶＪ）が映像パフォーマスンスに用いる機器）に適用されることが多く、上記のＤＪ機器と同様に、多彩な映像表現が望まれている。
【特許文献１】特開２００４−５９８７号公報
【発明の開示】
【発明が解決しようとする課題】
【０００４】
ところが、上記のオーディオ信号処理装置やビデオ信号処理装置は、移動部材の位置で２種類の信号の混合割合を決定するため、これら２種類の信号を連続的に切り替えることしかできなかった。つまり、信号Ａ→信号Ａ＋Ｂ→信号Ｂ→信号Ａ＋Ｂ→信号Ａのように、信号ＡからＢまたは信号ＢからＡに切り替えるときには必ず信号ＡとＢが混合されてしまうため、信号Ａから直接信号Ｂに切り替えることができなかった。したがって、瞬時の判断で、会場の雰囲気にあった音楽表現や映像表現を求められるＤＪやＶＪにとっては、直感的な操作ができず使い勝手が悪いといった問題があった。【０００５】
また、音楽表現や映像表現の一手法として、３種類以上の信号を混合させる場合があるが、上記のオーディオ信号処理装置やビデオ信号処理装置でこれを実現しようとすると、信号の数だけフェーダを必要とするため、操作が複雑になると共にフェーダの配置領域といった物理的な制限もあり、実現的ではない。また、３種類以上の信号を切り替えようとすると、３つのフェーダを操作しなければならず、操作性にも乏しいといった問題がある。【０００６】
本発明は、上記の問題点に鑑み、オーディオ信号またはビデオ信号であるＡＶ信号を複数混合したり切り替えたりといった編集処理を行う場合の編集操作を容易且つ直感的に行い得るＡＶ処理装置およびプログラムを提供することを目的とする。
【課題を解決するための手段】
【０００７】
本発明のＡＶ処理装置は、オーディオ信号またはビデオ信号であるＡＶ信号を複数入力する入力手段と、表示機能付きタッチパネルを有し、当該表示機能付きタッチパネルを用いて複数のＡＶ信号の編集操作を行う操作手段と、表示機能付きタッチパネルの表示制御を行う表示制御手段と、操作手段による編集操作に基づいて、複数のＡＶ信号に対し、混合処理および切り替え処理を含む編集処理を行い、出力対象となる出力ＡＶ信号を生成する出力ＡＶ信号生成手段と、出力ＡＶ信号生成手段により生成された出力ＡＶ信号を出力する出力手段と、を備え、表示制御手段は、入力手段により入力された複数のＡＶ信号に対応して、各ＡＶ信号の出力を指定するための複数のＡＶ信号指定領域を表示機能付きタッチパネル上に表示し、出力ＡＶ信号生成手段は、表示機能付きタッチパネルのタッチ位置に基づいて複数のＡＶ信号の混合処理を行うと共に、タッチ位置の移動に基づいて複数のＡＶ信号の切り替え処理を行うことを特徴とする。【０００８】
この構成によれば、表示機能付きタッチパネルには、複数のＡＶ信号指定領域が表示されており、当該表示機能付きタッチパネルのタッチ位置またはタッチ位置の移動に基づいて混合処理や切り替え処理を行うことができる。つまり、ＡＶ信号指定領域をタッチすると、その領域に対応したＡＶ信号がメインとなって出力され、２つのＡＶ信号指定領域間でタッチ位置を移動させると、２つのＡＶ信号間で切り替えを行うことができるなど、直感的な操作で容易に編集処理を行うことができる。
なお、混合処理とは、例えば複数のＡＶ信号をフェーダ方式でブレンドさせたり、２つのビデオ信号に基づく映像をワイプさせたりすることを指すものである。また、切り替え処理とは、上記の混合処理を連続して行うことを指すものである。【０００９】
上記に記載のＡＶ処理装置において、表示制御手段は、入力手段により入力されたＡＶ信号の数に応じて、複数のＡＶ信号指定領域の配置を決定することが好ましい。【００１０】
この構成によれば、ＡＶ信号の数に応じて、複数のＡＶ信号指定領域を適切な配置とすることができる。この場合、全てのＡＶ信号指定領域が隣り合うように配置することが好ましい。また、可能な限り、隣り合うＡＶ信号指定領域間の距離を同一とすることが好ましい。例えば、３つのＡＶ信号が入力された場合は、正三角形の各頂点に相当する位置に３つのＡＶ信号指定領域を配置することで、３つのＡＶ信号指定領域間の距離を同一とすることができ、操作性が良い。【００１１】
上記に記載のＡＶ処理装置において、表示制御手段は、ＡＶ信号がビデオ信号である場合、当該ビデオ信号の映像を、対応するＡＶ信号指定領域に表示することが好ましい。【００１２】
この構成によれば、編集対象となるＡＶ信号がビデオ信号の場合、その映像を表示機能付きタッチパネルに表示するため、出力したい映像そのものにタッチすることで、そのＡＶ信号指定領域に対応するビデオ信号をメインとして出力することができ、より直感的な操作が可能となる。
なお、ＡＶ信号がオーディオ信号の場合も、そのオーディオ信号を特定する情報を、対応するＡＶ信号指定領域に表示することが好ましい。この構成によれば、信号の種類に関わらず、直感的な操作を行うことができる。【００１３】
上記に記載のＡＶ処理装置において、各ＡＶ信号指定領域には、混合処理における混合率および切り替え処理における切り替え率を決定するための基準となる基準点が設けられており、出力ＡＶ信号生成手段は、タッチ位置または当該タッチ位置の移動に対し、各ＡＶ信号指定領域に設けられた各基準点との距離に応じて当該各ＡＶ信号指定領域に対応する各ＡＶ信号の混合率または切り替え率を決定することが好ましい。【００１４】
この構成によれば、操作位置と各基準点との距離に応じて、当該各ＡＶ信号指定領域に対応する各ＡＶ信号の混合率または切り替え率を決定することができる。例えば、基準点が領域の中央に設けられている場合、同じＡＶ信号指定領域内においても、中央をタッチしたときと領域の隅部をタッチしたときとでは出力されるＡＶ信号の混合率または切り替え率を変化させることができる。すなわち、より変化の多い出力ＡＶ信号を生成したい場合やＡＶ信号の切り替えをより滑らかに行いたい場合に使い勝手が良い。【００１５】
上記に記載のＡＶ処理装置において、出力ＡＶ信号生成手段は、ＡＶ信号指定領域の内部におけるタッチ位置または当該タッチ位置の移動に対しては、当該ＡＶ信号指定領域に対応するＡＶ信号の出力を１００％とし、ＡＶ信号指定領域の外部におけるタッチ位置または当該タッチ位置の移動に対しては、当該タッチ位置から各ＡＶ信号指定領域までの最短距離に応じて当該各ＡＶ信号指定領域に対応する各ＡＶ信号の混合率または切り替え率を決定することが好ましい。【００１６】
この構成によれば、ＡＶ信号指定領域の内部における操作については、当該ＡＶ信号指定領域に対応するＡＶ信号の出力を１００％とし、ＡＶ信号指定領域の外部における操作については、当該操作位置から各ＡＶ信号指定領域までの最短距離に応じて当該各ＡＶ信号指定領域に対応する各ＡＶ信号の混合率または切り替え率を決定することができる。つまり、ＡＶ信号指定領域の内部の操作に対しては、そのＡＶ信号だけを出力することができ、ＡＶ信号指定領域の外部の操作に対してのみＡＶ信号の混合処理や切り替え処理を行うことができる。したがって、初心者であっても取扱説明書等を参照することなく容易に操作することができる。
なお、この場合、各ＡＶ信号指定領域は、互いに離間していることが好ましい。この構成によれば、２つのＡＶ信号指定領域間における離間領域（ＡＶ信号指定領域外の領域）で、２つのＡＶ信号の混合処理や切り替え処理を行うことができ、より直感的な操作が可能である。【００１７】
上記に記載のＡＶ処理装置において、各ＡＶ信号指定領域には、混合処理における混合率および切り替え処理における切り替え率を決定するための基準となる基準点が設けられており、タッチ位置または当該タッチ位置の移動に対し、当該タッチ位置と各ＡＶ信号指定領域に設けられた各基準点との距離に応じて、当該各ＡＶ信号指定領域に対応する各ＡＶ信号の混合率または切り替え率を決定する第１操作モードと、ＡＶ信号指定領域の内部におけるタッチ位置または当該タッチ位置の移動に対しては、当該ＡＶ信号指定領域に対応するＡＶ信号の出力を１００％とし、ＡＶ信号指定領域の外部におけるタッチ位置または当該タッチ位置の移動に対しては、当該タッチ位置から各ＡＶ信号指定領域までの最短距離に応じて当該各ＡＶ信号指定領域に対応する各ＡＶ信号の混合率または切り替え率を決定する第２操作モードと、のいずれかの操作モードを設定する操作モード設定手段をさらに備え、出力ＡＶ信号生成手段は、操作モード設定手段による設定に基づいて、混合処理または切り替え処理を行うことが好ましい。【００１８】
この構成によれば、ユーザのニーズや使用用途に応じて、第１操作モードと第２操作モードとのいずれかを設定することができる。つまり、より変化の多い出力ＡＶ信号を生成したい場合やＡＶ信号の切り替えをより滑らかに行いたい場合などプロ志向のユーザは第１操作モードを、容易な操作を求める初心者は第２操作モードを選択することで、装置の汎用性を高めることができる。【００１９】
上記に記載のＡＶ処理装置において、表示機能付きタッチパネル上における各ＡＶ信号指定領域の配置変更を指示する配置変更指示手段をさらに備え、表示制御手段は、配置変更指示手段による指示に基づいて、出力ＡＶ信号に含まれる１つ以上のＡＶ信号に対応する１つ以上のＡＶ信号指定領域を、他のＡＶ信号指定領域に対して略中央に配置変更することが好ましい。【００２０】
この構成によれば、現在編集対象となっているＡＶ信号（出力ＡＶ信号）に対応するＡＶ信号指定領域を、他のＡＶ信号指定領域に対して略中央に配置することで、操作性を高めることができる。例えば、出力ＡＶ信号がビデオ信号の場合であって、当該ビデオ信号映像から他の映像にワイプさせたい場合、周囲に他のビデオ信号に対応したＡＶ信号指定領域が配置されているため、どのビデオ信号にも切り替えることが容易である。また、表示機能付きタッチパネルから指を離した場合でも、編集対象となっているＡＶ信号に対応するＡＶ信号指定領域を見失うことがない。
なお、配置変更指示手段は表示機能付きタッチパネルを用いて指示できる構成としても良いし、表示機能付きタッチパネル以外の操作子（操作キーやボタンなど）を用いて指示できる構成としても良い。【００２１】
上記に記載のＡＶ処理装置において、編集処理は、出力ＡＶ信号に対して、エフェクト効果を付与するエフェクト処理を含み、表示制御手段は、エフェクト効果毎に設けられたエフェクト指定領域を表示機能付きタッチパネル上に１つ以上表示し、出力ＡＶ信号生成手段は、表示機能付きタッチパネルのタッチ位置または当該タッチ位置の移動に基づいて、出力ＡＶ信号に対しエフェクト処理を行うことが好ましい。【００２２】
この構成によれば、混合処理や切り替え処理だけでなく、エフェクト処理も直感的に操作することができる。例えば、エフェクト指定領域の内部がタッチされた場合は、出力ＡＶ信号にそのエフェクト指定領域に対応するエフェクト効果を付与したり、タッチ位置の移動がエフェクト指定領域に近づいた場合は、その近接距離に応じてエフェクト効果の付与率を上げていくなどのエフェクト処理を実現可能である。【００２３】
本発明のプログラムは、コンピュータを、上記に記載のＡＶ処理装置における各手段として機能させるためのものであることを特徴とする。【００２４】
このプログラムを実行させることにより、オーディオ信号またはビデオ信号であるＡＶ信号を複数混合したり切り替えたりといった編集処理を行う場合の編集操作を容易且つ直感的に行い得るＡＶ処理装置を実現することができる。
【図面の簡単な説明】
【００２５】
【図１】本発明の一実施形態に係るＡＶ処理システムのシステム構成図、およびＡＶ処理装置の簡易構成図である。
【図２】ＡＶ処理装置に備えられたユーザインターフェースを示す図である。
【図３】ＡＶ処理装置のブロック図である。
【図４】タッチパネル上におけるビデオ信号指定領域の配置例を示す図である。
【図５】第１操作モードの説明図である。
【図６】第２操作モードの説明図である。
【図７】配置変更パターン１の説明図である。
【図８】配置変更パターン２および３の説明図である。
【図９】エフェクト指定領域を設けた場合のタッチパネルの表示例を示す図である。
【図１０】タッチパネルの他の表示例を示す図である。
【符号の説明】
【００２６】
１０…ＣＤプレーヤー，２０…ＤＶＤプレーヤー，３０…ＡＶ処理装置，３３…マイコン，３４…信号処理部，４０…スピーカー，５０…モニター，Ａ…オーディオ信号指定領域，ＢＴ１…配置変更ボタン，ＢＴ２…操作モード設定ボタン，Ｅ…エフェクト指定領域，ＳＹ…ＡＶ処理システム，Ｐ１〜Ｐ４…基準点，Ｔ１〜Ｔ９…タッチ位置，ＴＰ…タッチパネル，Ｖ…ビデオ信号指定領域
【発明を実施するための最良の形態】
【００２７】
以下、本発明の一実施形態に係るＡＶ処理装置およびプログラムについて、添付図面を参照しながら詳細に説明する。図１（ａ）は、本発明のＡＶ処理装置３０を適用したＡＶ処理システムＳＹのシステム構成図である。ＡＶ処理システムＳＹは、ＡＶ処理装置３０に入力するための１つ以上のオーディオ信号を生成する１台以上のＣＤプレーヤー１０（同図では、１台のみ図示）と、ＡＶ処理装置３０に入力するための１つ以上のビデオ信号を生成する１台以上のＤＶＤプレーヤー２０（同図では、１台のみ図示）と、これら１台以上のＣＤプレーヤー１０および／または１台以上のＤＶＤプレーヤー２０から、１つ以上のオーディオ信号および／または１つ以上のビデオ信号（以下、オーディオ信号および／またはビデオ信号を指して「ＡＶ信号」と称する）を入力し、これらを編集して出力用のＡＶ信号を生成するＡＶ処理装置３０と、ＡＶ処理装置３０から出力されたオーディオ信号を音声出力するスピーカー４０と、ＡＶ処理装置３０から出力されたビデオ信号を表示するモニター５０と、から成る。【００２８】
本実施形態のＡＶ処理装置３０は、ＡＶ信号を複数入力可能となっており、これらＡＶ信号の混合処理や切り替え処理を含む各種編集処理を行う。また、ＡＶ処理装置３０の一例としては、例えばクラブ等において用いられるものであり、音声と映像の両方にエフェクトをかけるなど、楽器感覚でオーディオ信号および／またはビデオ信号を扱い得るＤＶＪ機器（ディスクジョッキー（ＤＪ）が音響パフォーマンスに用いるＤＪ機器と、ビジュアルジョッキーまたはビデオジョッキー（ＶＪ）が映像パフォーマスンスに用いるＶＪ機器とを複合化した機器）等が挙げられる。【００２９】
ここで、ＶＪおよびＤＪについて説明する。ＶＪは、音楽に合わせて即興で映像をミックス（合成したりつないだり）する。ＤＪが即興で音楽をミックスするのに対し、ＶＪは映像を用いてパフォーマンスを行う。主にイベントやクラブパーティでスクリーン等に映像を切換出力するパフォーマンスを行い、会場でかかっている音楽や企画の進行に合わせて、適切な映像をその場で選択し、タイミングよく流すことを担う。【００３０】
これに対して、ＤＪは場の雰囲気から楽曲を選曲し、切れ目のない再生を行う。楽曲のピッチ（スピード）を変速できるターンテーブル等を使用したライブ演奏を行う。選曲の他に、ＤＪミックス、スクラッチなどのパフォーマンスを行う行為が一般化しており、ミックスでは現在再生している曲と次に再生する曲をスムーズにつなぎ、音の切れ目をなくすことでフロアのテンションを維持する。【００３１】
現状、一般的にＶＪとＤＪは住み分けがなされており、普通は得意分野によって音楽、映像のどちらか一方を対象としてパフォーマンスを行う者が多い。それぞれに得意分野があることから、専門分野以外の対象をミックスすることは困難である。また、一方を対象とするだけでも、即興でつなぎつつさらにエフェクトをかけたりするので、多様な操作を行う必要があり非常に慌しい。そのため、双方を扱う余裕がない。【００３２】
しかし、どちらも会場の雰囲気やパフォーマー自身のフィーリングに合わせて、楽曲、映像をテンポよく切換出力する行為を行うものである。提供される音と映像が一致する必要があることから、双方を１人の人物が行うことも望まれる。本来映像が得意なＶＪでも、映像の変化に追従して音楽が変化すれば、映像と共に音楽を扱うことが容易となるし、逆に本来音楽専任のＤＪでも、音を変化させることに追従して映像が変化すれば、より自然に音と映像を合わせて扱うことができる。【００３３】
本実施形態のＡＶ処理装置３０は、本来1人の人物が同時に扱うことができない映像と音楽を、１人で同時に扱うことを可能とするものである。また、音楽と映像両方を扱おうとする者に対して、簡便で快適な操作を提供するものである。【００３４】
なお、ＡＶ処理装置３０に入力するためのＡＶ信号を生成するための装置としては、ＣＤプレーヤー１０やＤＶＤプレーヤー２０に限らず、他の装置（各種音声機器、映像機器およびパーソナルコンピュータなど）であっても良い。また、ＡＶ処理装置３０に、ＣＤプレーヤー１０やＤＶＤプレーヤー２０の機能を内蔵させても良い。さらに、ビデオ信号は、動画であっても良いし静止画であっても良い。また、複数のオーディオ信号をＡＶ処理装置３０に入力する場合は、オーディオ信号を混合した場合の違和感を無くすため、ＣＤプレーヤー１０側またはＡＶ処理装置３０側のいずれかに、当該複数のオーディオ信号のＢＰＭを一致させる機能が搭載されていることが好ましい。【００３５】
図１（ｂ）は、ＡＶ処理装置３０の簡易構成図である。ＡＶ処理装置３０は、その主要構成要素として、表示機能付きタッチパネルＴＰ、マイコン３３および信号処理部３４を有している。【００３６】
表示機能付きタッチパネルＴＰは、ＴＦＴ等の表示素子を有するディスプレイ３１と、当該ディスプレイ３１上に重ね合わされたタッチパネル３２と、から成る。このように表示機能付きタッチパネルＴＰ（以下単に「タッチパネルＴＰ」と称する）を採用することで、ユーザは、ディスプレイ３１の表示上でタッチパネル３２を操作することができるため、簡便且つ直感的な操作が可能となる。【００３７】
マイコン３３は、タッチパネルＴＰの操作（タッチ）に基づく電圧変化に応じて操作位置の位置検出や移動検出を行う。また、当該検出結果に基づいて、入力されたＡＶ信号の編集処理を指示するためのコントロール信号を生成し、これを信号処理部３４（オーディオ／ビデオコントロールデバイス）に出力する。【００３８】
信号処理部３４は、マイコン３３から入力されたコントロール信号に基づいて、入力された各ＡＶ信号の混合処理や切り替え処理を行い、その処理結果に基づいて、出力用のオーディオ信号および／または出力用のビデオ信号（以下、「出力ＡＶ信号」と称する）を生成し、それぞれの信号を各出力インターフェースから出力する。【００３９】
また、信号処理部３４は、入力された各ＡＶ信号に関する情報（例えばビデオ信号に基づく映像データ）をマイコン３３に出力し、マイコン３３は、その情報をタッチパネルＴＰ（ディスプレイ３１）上の所定領域に表示するなどの表示制御を行う。なお、マイコン３３は、この他にも、ユーザの操作に基づく情報管理や、外部装置との信号の入出力など、ＡＶ処理装置３０の統括制御を行う。【００４０】
次に、図２の平面図を参照し、ＡＶ処理装置３０に備えられたユーザインターフェースについて説明する。同図に示すように、ＡＶ処理装置３０は、その筐体上面に、上記のタッチパネルＴＰと、２つの操作ボタンＢＴ１，ＢＴ２と、を備えている。なお、ＡＶ処理装置３０は、その他のユーザインターフェースとして、出力ＡＶ信号に含まれるビデオ信号の映像をユーザが確認するための確認用ディスプレイ、入力信号の切り替えや調節を行うためのフェーダ、エフェクト効果を付与するための各種操作子等（いずれも図示省略）を備えている。【００４１】
タッチパネルＴＰは、入力された複数のＡＶ信号に対応して複数のＡＶ信号指定領域を表示する。同図は、４つのビデオ信号が入力された場合の表示例を示したものであり、ｃｈ１〜ｃｈ４に入力されたビデオ信号に対応してＡＶ信号指定領域Ｖ１〜Ｖ４が表示されている。なお、以下の説明では、ビデオ信号に対応したＡＶ信号指定領域をビデオ信号指定領域Ｖ、オーディオ信号に対応したＡＶ信号指定領域をオーディオ信号指定領域Ａ（図１０（ａ）参照）と称する。【００４２】
図２の例に示すように、４つのビデオ信号指定領域Ｖ１〜Ｖ４は、隣り合うビデオ信号指定領域Ｖ間の距離が略同一となるように配置されている。また、各ビデオ信号指定領域Ｖ１〜Ｖ４には、チャンネル番号、および対応するビデオ信号の映像が表示されている。同図に示す状態で、例えばビデオ信号指定領域Ｖ１の内部がタッチされると、ｃｈ１のビデオ信号に基づく映像がメインとなって出力される。また、ビデオ信号指定領域Ｖ１からビデオ信号指定領域Ｖ２に向かってタッチ位置が移動されると、ｃｈ１からｃｈ２へビデオ信号の切り替え処理が行われる。なお、操作モードの設定によって、タッチ位置と出力されるＡＶ信号との関係は変化するが、詳細については後述する。【００４３】
操作ボタンＢＴ１は、タッチパネルＴＰに表示されるＡＶ信号指定領域の配置変更を指示するための配置変更ボタンである。ＡＶ信号が出力されている状態において、ユーザにより配置変更ボタンＢＴ１が押下されると、出力対象となっているＡＶ信号に対応するＡＶ信号指定領域を、他のＡＶ信号指定領域に対して略中央に位置するように配置変更する。【００４４】
また、操作ボタンＢＴ２は、上記の操作モードを設定するための操作モード設定ボタンである。本実施形態では、第１操作モード（図５参照）と第２操作モード（図６参照）のいずれかを設定可能であり、操作モード設定ボタンＢＴ２の押下毎に操作モードを切り替えることができるようになっている。【００４５】
なお、ＡＶ信号指定領域の配置変更指示や操作モードの指定は、上記のボタンに限らず、ロータリー形式のつまみやスライダーなど他の操作子を用いても良い。【００４６】
次に、図３のブロック図を参照し、ＡＶ処理装置３０の制御構成について説明する。同図に示すように、ＡＶ処理装置３０は、入力手段３１０、操作手段３２０、配置変更指示手段３３０、操作モード設定手段３４０、表示制御手段３５０、出力ＡＶ信号生成手段３６０および出力手段３７０を備えている。【００４７】
入力手段３１０は、複数のＡＶ信号（入力ＡＶ信号）を入力するものであり、不図示の信号入力インターフェース（アナログまたはデジタル信号入力端子）によりその主要部が構成される。操作手段３２０は、入力された複数のＡＶ信号の編集操作をユーザが行うためのものであり、タッチパネルＴＰによりその主要部が構成される。【００４８】
配置変更指示手段３３０は、上記のとおりＡＶ信号指定領域の配置変更を指示するものであり、配置変更ボタンＢＴ１（図２参照）によりその主要部が構成される。配置変更指示手段３３０により配置変更が指示されると、後述の表示制御手段３５０により、出力ＡＶ信号に含まれる１つ以上のＡＶ信号に対応するＡＶ信号指定領域が、他のＡＶ信号指定領域に対して略中央に配置変更される。【００４９】
操作モード設定手段３４０は、上記のとおり第１操作モードと第２操作モードのいずれかを設定するものであり、操作モード設定ボタンＢＴ２（図２参照）によりその主要部が構成される。第１操作モードでは、各ＡＶ信号指定領域に基準点Ｐ（図５参照）を設け、タッチ位置と各ＡＶ信号指定領域に設けられた各基準点Ｐとの距離に応じて、当該各ＡＶ信号指定領域に対応する各ＡＶ信号の混合率または切り替え率を決定する。また、第２操作モードでは、ＡＶ信号指定領域の内部におけるタッチ位置または当該タッチ位置の移動については、当該ＡＶ信号指定領域に対応するＡＶ信号の出力を１００％とし、ＡＶ信号指定領域の外部におけるタッチ位置または当該タッチ位置の移動については、当該タッチ位置から各ＡＶ信号指定領域までの最短距離に応じて当該各ＡＶ信号指定領域に対応する各ＡＶ信号の混合率または切り替え率を決定する。各操作モードについては、具体例を挙げて後に詳述する。【００５０】
表示制御手段３５０は、タッチパネルＴＰの表示制御を行うものであり、上記のマイコン３３および信号処理部３４（図１（ｂ）参照）によりその主要部が構成される。表示制御手段３５０は、入力手段３１０により入力された複数のＡＶ信号に対応して、各ＡＶ信号に対応するＡＶ信号指定領域をタッチパネルＴＰ上に表示する。このとき、操作性や見栄えを考慮し、入力されたＡＶ信号の数に応じて、各ＡＶ信号指定領域の配置を決定する。例えば、図４（ａ）に示すように、３つのビデオ信号ｃｈ１〜ｃｈ３が入力された場合は、正三角形の各頂点に相当する位置に３つのビデオ信号指定領域Ｖ１〜Ｖ３を配置することで、３つのビデオ信号指定領域Ｖ１〜Ｖ３間の距離を同一とすることができる。これに対して、図２の例に示したように、４つのビデオ信号ｃｈ１〜ｃｈ４が入力された場合は、各ビデオ信号指定領域Ｖの縦横比に応じた長方形の各頂点に相当する位置に４つのビデオ信号指定領域Ｖ１〜Ｖ４を配置することで、４つのビデオ信号指定領域Ｖ１〜Ｖ４間の距離を同一とすることができる。【００５１】
なお、入力されたＡＶ信号の数ではなく、ユーザにより選択されたＡＶ信号の数によって、各ＡＶ信号指定領域の配置を決定するように構成しても良い。また、図４（ｂ）に示すように、４つのビデオ信号ｃｈ１〜ｃｈ４が入力された場合は、菱形の各頂点に相当する位置に４つのビデオ信号指定領域Ｖ１〜Ｖ４を配置するようにしても良い。この場合、同図に示すように、配置変更に伴って各ビデオ信号指定領域Ｖが重複しないように領域サイズが縮小されることが好ましい。また、ユーザの好みに応じて、例えば配置変更ボタンＢＴ１の長押し等の操作により、ＡＶ信号指定領域の配置を複数の配置候補の中から切り替え／選択可能としても良い。【００５２】
図３の説明に戻る。出力ＡＶ信号生成手段３６０は、操作手段３２０による編集操作に基づいて、複数のＡＶ信号に対して各種編集処理を行い、出力対象となる出力ＡＶ信号を生成するものであり、マイコン３３および信号処理部３４（図１（ｂ）参照）により、その主要部が構成される。編集処理としては、タッチパネルＴＰのタッチ位置に基づいて複数のＡＶ信号の混合処理を行うと共に、タッチ位置の移動に基づいて複数のＡＶ信号の切り替え処理を行う。なお、混合処理とは、例えば複数のＡＶ信号をフェーダ方式でブレンドさせたり、２つのビデオ信号に基づく映像をワイプさせたりすることを指すものである。また、切り替え処理とは、上記の混合処理を連続して行うことを指すものである。【００５３】
また、出力ＡＶ信号生成手段３６０は、上記のとおり、操作モード設定手段３４０による設定にしたがって、混合処理や切り替え処理（混合率や切り替え率の決定）を行うための制御プログラムを切り替え、これらの処理を行う。【００５４】
出力手段３７０は、出力ＡＶ信号生成手段３６０により生成された出力ＡＶ信号を出力するものであり、不図示の信号出力インターフェース（アナログまたはデジタル信号出力端子）により、その主要部が構成される。【００５５】
次に、図５および図６を参照し、各操作モードについて説明する。なお、以下の説明では、ＡＶ処理装置３０に４つのビデオ信号ｃｈ１〜ｃｈ４を入力した場合を例示する。図５は、第１操作モードの説明図である。第１操作モードに設定された場合、各ビデオ信号指定領域Ｖ１〜Ｖ４には、混合率や切り替え率を決定するための基準となる基準点Ｐ１〜Ｐ４が設けられる。なお、この基準点Ｐは、ユーザの操作時において、実際にタッチパネルＴＰ上に表示しても良いし非表示としても良い。【００５６】
同図では、タッチパネルＴＰの左上部に表示されるビデオ信号指定領域Ｖ１については、その長方形領域の左上頂点付近、タッチパネルＴＰの右上部に表示されるビデオ信号指定領域Ｖ２については、その長方形領域の右上頂点付近、タッチパネルＴＰの左下部に表示されるビデオ信号指定領域Ｖ３については、その長方形領域の左下頂点付近、タッチパネルＴＰの右下部に表示されるビデオ信号指定領域Ｖ４については、その長方形領域の右下頂点付近に、それぞれ基準点Ｐ１〜Ｐ４が設けられている。【００５７】
例えば、タッチ位置Ｔ１がタッチされた場合、各ｃｈのビデオ信号の混合率は、各基準点までの距離Ｌ１〜Ｌ４に反比例する。したがって、同図の例の場合、ビデオ信号指定領域Ｖ１とビデオ信号指定領域Ｖ２との間に位置するタッチ位置Ｔ１がタッチされると、ｃｈ１とｃｈ３が略同一並びにｃｈ２とｃｈ４が略同一の割合で、且つ前者の２つのｃｈが後者の２つのｃｈよりも高い混合率で混合されたものが出力ＡＶ信号となる。また、ビデオ信号指定領域Ｖ１内に位置するタッチ位置Ｔ２がタッチされた場合も、各ｃｈのビデオ信号の混合率は、各基準点までの距離に反比例する。【００５８】
また、タッチ位置Ｔ１からタッチ位置Ｔ３にタッチ位置が移動された場合、その移動に伴って、切り替え率が変更される。したがって、同図の例の場合、タッチ位置Ｔ１からタッチ位置Ｔ３にタッチ位置が移動するにつれて、ｃｈ２とｃｈ４の切り替え率が高くなり、タッチ位置Ｔ３まで移動したとき、４つのｃｈの切り替え率が略同一となる。なお、切り替え率は、全てのｃｈの切り替え率の合計が１００％となるように設定されるものである。【００５９】
このように、第１操作モードでは、ビデオ信号指定領域Ｖの内外に関わらず、混合率および切り替え率は、基準点Ｐからの距離に応じて決定する。なお、各ｃｈの混合率や切り替え率は、各基準点Ｐからの距離に反比例するのではなく、各基準点Ｐからの距離をパラメータとした所定のアルゴリズムにしたがって算出するようにしても良い。また、この場合、基準点Ｐから所定距離以上離れたｃｈについては、混合や切り替えの対象外としても良い。【００６０】
さらに、基準点Ｐの位置をユーザが指定できるようにしても良いし、全てのビデオ信号指定領域Ｖに共通の位置（例えば、各領域の中央など）としても良い。また、基準点Ｐの表示／非表示をユーザが選択できるようにしても良い。【００６１】
続いて、第２操作モードについて説明する。第２操作モードでは、第１操作モードのようにビデオ信号指定領域Ｖ内の一点を基準点Ｐとするのではなく、ビデオ信号指定領域Ｖ全体を基準点Ｐと捉える。したがって、タッチ位置Ｔ４およびＴ５がタッチされた場合、タッチ位置が異なるものの、いずれもビデオ信号指定領域Ｖ１の内部であるため、ｃｈ１の出力（混合率および切り替え率）が１００％となる。【００６２】
一方、タッチ位置Ｔ６は、ビデオ信号指定領域Ｖ外であるため、当該タッチ位置Ｔ６から各ビデオ信号指定領域Ｖ１〜Ｖ４までの最短距離（Ｌ１，Ｌ２，Ｌ３，Ｌ４）に応じて各ビデオ信号ｃｈ１〜ｃｈ４の混合率または切り替え率を決定する。なお、混合率または切り替え率の算出方法は上記の第１操作モードと同様であるため、詳細な説明は省略するが、タッチ位置Ｔ６からタッチ位置Ｔ７にタッチ位置が移動された場合の切り替え率の変化は、第１操作モードにおけるタッチ位置Ｔ１からタッチ位置Ｔ３にタッチ位置が移動された場合（図５参照）の変化と同様である。【００６３】
このように、第２操作モードでは、ビデオ信号指定領域Ｖの内部においては当該ビデオ信号指定領域Ｖに対応するビデオ信号の出力を１００％とし、ビデオ信号指定領域Ｖの外部においては、当該タッチ位置から各ビデオ信号指定領域Ｖまでの最短距離に応じて各ビデオ信号指定領域Ｖに対応する各ビデオ信号の混合率または切り替え率を決定する。【００６４】
なお、図５および図６で説明した第１操作モードと第２操作モードは、ユーザのニーズや使用用途に応じて選択的に設定することができる。つまり、より変化の多い出力ＡＶ信号を生成したい場合やＡＶ信号の切り替えをより滑らかに行いたい場合などプロ志向のユーザは第１操作モードを、容易な操作を求める初心者は第２操作モードを選択することで、ＡＶ処理装置３０の汎用性を高めることができる。【００６５】
次に、図７および図８を参照し、ＡＶ信号指定領域の配置変更について説明する。なお、以下の説明においても、ＡＶ処理装置３０に４つのビデオ信号ｃｈ１〜ｃｈ４を入力した場合を例示する。図７は、配置変更パターン１の説明図である。例えば、配置変更パターン１では、同図（ａ）に示すように、ｃｈ１〜ｃｈ４のうち、ｃｈ２のビデオ信号が出力対象となっている場合（出力ＡＶ信号に含まれるビデオ信号がｃｈ２のみの場合）、配置変更ボタンＢＴ１が押下されると、表示制御手段３５０は、同図（ｂ）に示すように配置変更する。つまり、出力対象であるｃｈ２のビデオ信号に対応するビデオ信号指定領域Ｖ２を、その他のビデオ信号指定領域Ｖ１，Ｖ３，Ｖ４に対して略中央となるように配置する。また、これに伴って、その他のビデオ信号指定領域Ｖ１，Ｖ３，Ｖ４の配置も、ビデオ信号指定領域Ｖ２からの距離が略同一となるように配置変更する。また、これに伴って、各ビデオ信号指定領域Ｖが重複しないように、その他のビデオ信号指定領域Ｖ１，Ｖ３，Ｖ４の領域サイズを縮小する。なお、出力ＡＶ信号に含まれるビデオ信号が複数ｃｈの場合は、複数のビデオ信号指定領域Ｖが他のビデオ信号指定領域Ｖに対して略中央に配置されることとなる。【００６６】
図８（ａ）は、配置変更パターン２の説明図である。配置変更パターン２では、図７（ａ）の状態において配置変更が指示された場合、出力対象であるｃｈ２のビデオ信号に対応するビデオ信号指定領域Ｖ２を、その他のビデオ信号指定領域Ｖ１，Ｖ３，Ｖ４に対して略中央となるように配置し、各ビデオ信号指定領域Ｖが重複しないように、その他のビデオ信号指定領域Ｖ１，Ｖ３，Ｖ４の領域サイズを縮小する点については配置変更パターン１と同様であるが、ビデオ信号指定領域Ｖ２の領域サイズを拡大する（ビデオ信号指定領域ＶＭ）点で異なる。さらに、配置変更パターン１のようにビデオ信号指定領域Ｖ２を略中央に移動するのではなく、ビデオ信号指定領域Ｖ２の配置をそのままにして、さらにｃｈ２のビデオ信号に対応する出力ビデオ信号指定領域ＶＭ（出力対象となっているビデオ信号のビデオ信号指定領域）を追加する。【００６７】
図８（ｂ）は、配置変更パターン３の説明図である。配置変更パターン３では、出力対象が１ｃｈのみの場合は、配置変更パターン１（図７（ｂ）参照）の配置変更を行い、出力対象が複数ｃｈの場合は、配置変更パターン２（図８（ａ）参照）の配置変更を行う。なお、複数ｃｈに対応する出力ビデオ信号指定領域ＶＭを表示する場合は、タッチ位置と、出力ビデオ信号指定領域ＶＭに含まれるそのｃｈの信号の含有率とに応じて、混合率および切り替え率が決定されることとなる。【００６８】
このように、現在編集対象となっているＡＶ信号（出力ＡＶ信号）に対応するＡＶ信号指定領域を、他のＡＶ信号指定領域に対して略中央に配置することで、操作性を高めることができる。例えば、出力ＡＶ信号がビデオ信号の場合であって、当該ビデオ信号映像から他の映像にワイプさせたい場合、周囲に他のビデオ信号に対応したＡＶ信号指定領域が配置されているため、どのビデオ信号にも切り替えることが容易である。また、タッチパネルＴＰから指を離した場合でも、編集対象となっているＡＶ信号に対応するＡＶ信号指定領域を見失うことがない。【００６９】
なお、配置変更の指示は、配置変更ボタンＢＴ１の押下以外にも、タッチパネルＴＰ上の所定位置をタッチするなど他の操作によって指示できる構成としても良い。また、配置変更パターンとしては上記に示した３つのパターンのうち、いずれかを固定的に設定しても良いし、いずれの配置パターンを採用するかをユーザが設定できるように構成しても良い。【００７０】
以上説明したとおり、本実施形態によれば、タッチパネルＴＰに複数のＡＶ信号指定領域を表示することにより、当該タッチパネルＴＰのタッチ位置またはタッチ位置の移動に基づいて混合処理や切り替え処理を行うことができる。つまり、任意のＡＶ信号指定領域をタッチすると、その領域に対応したＡＶ信号がメインとなって出力され、２つのＡＶ信号指定領域間でタッチ位置を移動させると、２つのＡＶ信号間で切り替えを行うことができるなど、直感的な操作で容易に編集処理を行うことができる。【００７１】
なお、上記の実施形態では、タッチパネルＴＰ上に複数のＡＶ信号指定領域を表示して混合処理や切り替え処理等の編集処理を行う場合を例示したが、編集処理の一つとしてエフェクト処理を実現することも可能である。この場合、図９に示すように、タッチパネルＴＰ上にエフェクト指定領域Ｅを設ければ良い。同図は、ｃｈ１〜ｃｈ３のビデオ信号に対応するビデオ信号指定領域Ｖ１〜Ｖ３と、エフェクト効果（ぼかし）を指定するためのエフェクト指定領域ＥがタッチパネルＴＰ上に設けられている場合を示している。例えば第２操作モードに指定されている場合、この状態において、ビデオ信号指定領域Ｖ２内のタッチ位置Ｔ８がタッチされると、ｃｈ２のビデオ信号が１００％出力される。その状態で、タッチ位置Ｔ９がタッチされると、タッチ位置Ｔ９はエフェクト指定領域Ｅ内であるため、ｃｈ２のビデオ信号にぼかしのエフェクト効果を付与する。【００７２】
一方、タッチ位置Ｔ８からタッチ位置Ｔ９にタッチ位置が移動された場合は、移動経路上の位置ＰＰ１（ビデオ信号指定領域Ｖ２と当該領域外との境界点）を越えた時点から徐々にぼかしのエフェクトがかかり始め、同じく移動経路上の位置ＰＰ２（エフェクト指定領域Ｅと当該領域外との境界点）に到達したときに１００％のエフェクト付与率でぼかしのエフェクトがかかる。その後、位置ＰＰ２からタッチ位置Ｔ９までは１００％のエフェクトがかかったままである。【００７３】
このように、タッチパネルＴＰ上にエフェクト指定領域Ｅを設けることで、混合処理や切り替え処理だけでなく、エフェクト処理も直感的に操作することができる。これにより、ＤＪやＶＪなど多彩な音楽表現や映像表現を要求されるユーザの、表現力および使い勝手の向上を図ることができる。【００７４】
なお、ビデオ信号に対するエフェクト効果としては、その他の映像エフェクト（拡大／縮小、パズル、カラーリング、ぼかし、ストロボ、レンズ、ワイプ、反転、ネガ等）を適用可能である。また、オーディオ信号に対するエフェクト効果としては、ディレイ、リバーブ、フランジャーなどの音声エフェクトを適用可能である。また、１つのエフェクト指定領域Ｅに、ビデオ信号に対するエフェクト効果とオーディオ信号に対するエフェクト効果とを対応付け（例えば、ワイプとフランジャーなど）、両信号に対して同感覚の（関連性のある）エフェクト効果を付与できるようにしても良い。【００７５】
さらに、エフェクト指定領域Ｅは１つだけでなく複数設けても良いし、上記のように第２操作モードではなく、第１操作モードを適用させる（基準点Ｐを設け、当該基準点Ｐからの距離に応じてエフェクト効果の付与率を決定する）ことも可能である。【００７６】
また、上記の実施形態では、主にビデオ信号を入力した場合について例示したが、図１０（ａ）に示すように、オーディオ信号に対応するオーディオ信号指定領域Ａと、ビデオ信号に対応するビデオ信号指定領域Ｖとを、同時にタッチパネルＴＰ上に設けることも可能である。同図は、ｃｈ１に入力されたオーディオ信号に対応するオーディオ信号指定領域Ａ１、ｃｈ２に入力されたオーディオ信号に対応するオーディオ信号指定領域Ａ２、ｃｈ３に入力されたビデオ信号に対応するビデオ信号指定領域Ｖ３、およびｃｈ４に入力されたビデオ信号に対応するビデオ信号指定領域Ｖ４を表示した場合を例示している。【００７７】
このように、オーディオ信号指定領域Ａとビデオ信号指定領域Ｖとを、同時にタッチパネルＴＰ上に設けることで、ＤＪやＶＪなどの専門分野に関わらず、容易に音楽と映像とを操作することができる。さらに、同一人物が音楽と映像を操作することができることにより、両者のタイムラグを無くすことができるため、より高いパフォーマンスを実現可能である。【００７８】
なお、オーディオ信号指定領域Ａを設ける場合、各オーディオ信号指定領域Ａには、オーディオ信号を特定するための情報として、同図に示すように、ｃｈ番号、曲名『○○○○』、ＢＰＭ値等を領域内に表示することが好ましい。これにより、ユーザはその領域に対応するオーディオ信号を視認することができる。【００７９】
また、図１０（ａ）の例に図９の例を適用して、オーディオ信号指定領域Ａと、ビデオ信号指定領域Ｖと、エフェクト指定領域Ｅとを、同時にタッチパネルＴＰ上に設けることも可能である。【００８０】
また、上記の実施形態では、各ＡＶ信号指定領域やエフェクト指定領域Ｅが、離間している場合を例示したが、図１０（ａ）に示すように、各領域（図示の例の場合、ビデオ信号指定領域Ｖ１〜Ｖ４）を密接させることも可能である。但しこの場合は、第２操作モードに設定すると、ビデオ信号の切り替え操作等が困難となるため、第１操作モードのみを設定可能とすることが好ましい。【００８１】
また、各領域の一部を重複させたり、２つの領域を完全に重ね合わせて１つの領域内の指定で２種類の信号を出力させるなど、各領域の配置は任意である。【００８２】
また、ＡＶ処理装置３０としては、クラブ等において用いられるＤＶＪ機器を例示したが、当該ＤＶＪ機器以外にも、複数のＡＶ信号を入力し、これらを編集可能な装置やプログラム（音声／映像ミキサー、音声／映像コントローラ、音声／映像処理アプリケーションなど）であれば、本発明を適用可能である。すなわち、オーディオ信号とビデオ信号の両方を処理する装置でなくとも、オーディオ信号のみ、ビデオ信号のみを処理する装置にも、本発明を適用可能である。【００８３】
また、上記の例に示したＡＶ処理装置３０における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスク、フレキシブルディスクおよびハードディスク等を利用することができる。【００８４】
また、上述した実施例によらず、ＡＶ処理システムＳＹのシステム構成、ＡＶ処理装置３０の装置構成や処理工程等について、本発明の要旨を逸脱しない範囲で、適宜変更も可能である。
【図１】
2008111115.tif 000003
【図２】
2008111115.tif 000004
【図３】
2008111115.tif 000005
【図４】
2008111115.tif 000006
【図５】
2008111115.tif 000007
【図６】
2008111115.tif 000008
【図７】
2008111115.tif 000009
【図８】
2008111115.tif 000010
【図９】
2008111115.tif 000011
【図１０】
2008111115.tif 000012
【手続補正書】
【提出日】平成21年8月17日(2009.8.17)
【手続補正１】
【補正対象書類名】明細書
【補正対象項目名】０００９
【補正方法】変更
【補正の内容】
【０００９】
上記に記載のＡＶ処理装置において、表示制御手段は、入力手段により入力されたＡＶ信号の数に応じて、複数のＡＶ信号指定領域の配置を決定することが好ましい。この場合、表示制御手段は、ＡＶ信号の数に応じた多角形の各頂点に相当する位置に、複数のＡＶ信号指定領域を配置して表示することが好ましい。
【手続補正２】
【補正対象書類名】特許請求の範囲
【補正対象項目名】全文
【補正方法】変更
【補正の内容】
【特許請求の範囲】
【請求項１】
オーディオ信号またはビデオ信号であるＡＶ信号を複数入力する入力手段と、
表示機能付きタッチパネルを有し、当該表示機能付きタッチパネルを用いて前記複数のＡＶ信号の編集操作を行う操作手段と、
前記表示機能付きタッチパネルの表示制御を行う表示制御手段と、
前記操作手段による編集操作に基づいて、前記複数のＡＶ信号に対し、混合処理および切り替え処理を含む編集処理を行い、出力対象となる出力ＡＶ信号を生成する出力ＡＶ信号生成手段と、
前記出力ＡＶ信号生成手段により生成された前記出力ＡＶ信号を出力する出力手段と、を備え、
前記表示制御手段は、前記入力手段により入力された前記複数のＡＶ信号に対応して、前記各ＡＶ信号の出力を指定するための複数のＡＶ信号指定領域を前記表示機能付きタッチパネル上に表示し、
前記出力ＡＶ信号生成手段は、前記表示機能付きタッチパネルのタッチ位置に基づいて前記複数のＡＶ信号の混合処理を行うと共に、前記タッチ位置の移動に基づいて前記複数のＡＶ信号の切り替え処理を行うことを特徴とするＡＶ処理装置。
【請求項２】
前記表示制御手段は、前記入力手段により入力された前記ＡＶ信号の数に応じて、前記複数のＡＶ信号指定領域の配置を決定することを特徴とする請求項１に記載のＡＶ処理装置。
【請求項３】
前記表示制御手段は、前記ＡＶ信号の数に応じた多角形の各頂点に相当する位置に、前記複数のＡＶ信号指定領域を配置して表示することを特徴とする請求項２に記載のＡＶ処理装置。
【請求項４】
前記表示制御手段は、前記ＡＶ信号がビデオ信号である場合、当該ビデオ信号の映像を、対応する前記ＡＶ信号指定領域に表示することを特徴とする請求項１に記載のＡＶ処理装置。
【請求項５】
前記各ＡＶ信号指定領域には、前記混合処理における混合率および前記切り替え処理における切り替え率を決定するための基準となる基準点が設けられており、
前記出力ＡＶ信号生成手段は、前記タッチ位置または当該タッチ位置の移動に対し、当該タッチ位置と前記各ＡＶ信号指定領域に設けられた前記各基準点との距離に応じて当該各ＡＶ信号指定領域に対応する前記各ＡＶ信号の混合率または切り替え率を決定することを特徴とする請求項１に記載のＡＶ処理装置。
【請求項６】
前記出力ＡＶ信号生成手段は、前記ＡＶ信号指定領域の内部における前記タッチ位置または当該タッチ位置の移動に対しては、当該ＡＶ信号指定領域に対応するＡＶ信号の出力を１００％とし、前記ＡＶ信号指定領域の外部における前記タッチ位置または当該タッチ位置の移動に対しては、当該タッチ位置から前記各ＡＶ信号指定領域までの最短距離に応じて当該各ＡＶ信号指定領域に対応する各ＡＶ信号の混合率または切り替え率を決定することを特徴とする請求項１に記載のＡＶ処理装置。
【請求項７】
前記各ＡＶ信号指定領域には、前記混合処理における混合率および前記切り替え処理における切り替え率を決定するための基準となる基準点が設けられており、前記タッチ位置または当該タッチ位置の移動に対し、当該タッチ位置と前記各ＡＶ信号指定領域に設けられた前記各基準点との距離に応じて、当該各ＡＶ信号指定領域に対応する前記各ＡＶ信号の混合率または切り替え率を決定する第１操作モードと、
前記ＡＶ信号指定領域の内部における前記タッチ位置または当該タッチ位置の移動に対しては、当該ＡＶ信号指定領域に対応するＡＶ信号の出力を１００％とし、前記ＡＶ信号指定領域の外部における前記タッチ位置または当該タッチ位置の移動に対しては、当該タッチ位置から前記各ＡＶ信号指定領域までの最短距離に応じて当該各ＡＶ信号指定領域に対応する各ＡＶ信号の混合率または切り替え率を決定する第２操作モードと、のいずれかの操作モードを設定する操作モード設定手段をさらに備え、
前記出力ＡＶ信号生成手段は、前記操作モード設定手段による設定に基づいて、前記混合処理または前記切り替え処理を行うことを特徴とする請求項１に記載のＡＶ処理装置。
【請求項８】
前記表示機能付きタッチパネル上における前記各ＡＶ信号指定領域の配置変更を指示する配置変更指示手段をさらに備え、
前記表示制御手段は、前記配置変更指示手段による指示に基づいて、前記出力ＡＶ信号に含まれる１つ以上のＡＶ信号に対応する１つ以上の前記ＡＶ信号指定領域を、他のＡＶ信号指定領域に対して略中央に配置変更することを特徴とする請求項１に記載のＡＶ処理装置。
【請求項９】
前記編集処理は、前記出力ＡＶ信号に対して、エフェクト効果を付与するエフェクト処理を含み、
前記表示制御手段は、前記エフェクト効果毎に設けられたエフェクト指定領域を前記表示機能付きタッチパネル上に１つ以上表示し、
前記出力ＡＶ信号生成手段は、前記表示機能付きタッチパネルの前記タッチ位置または当該タッチ位置の移動に基づいて、前記出力ＡＶ信号に対し前記エフェクト処理を行うことを特徴とする請求項１に記載のＡＶ処理装置。
【請求項１０】
コンピュータを、請求項１に記載のＡＶ処理装置における各手段として機能させるためのプログラム。
【国際調査報告】
2008111115.tif 000013
2008111115.tif 000014
2008111115.tif 000015
2008111115.tif 000016